(57)【特許請求の範囲】
【請求項１】
変速機ケース内において、車体幅方向に延びる軸心上に、駆動源に連結された入力軸と、第１のプラネタリギヤセット及び第２のプラネタリギヤセットと、所定のクラッチとが配設された横置き式の自動変速機であって、
前記第１、第２のプラネタリギヤセットと前記クラッチとは、前記変速機ケースの反駆動源側から、前記第１のプラネタリギヤセット、前記クラッチ及び前記第２のプラネタリギヤセットの順に配置され、
前記クラッチの外側回転部材は、前記クラッチの油圧室を形成すると共に前記第１のプラネタリギヤセットに連結され、
前記入力軸の反駆動源側に同軸上に、前記第２のプラネタリギヤセットに連結されると共に前記外側回転部材に連結されて前記第１のプラネタリギヤセットと前記第２のプラネタリギヤセットとを動力伝達可能に連結する動力伝達軸が設けられ、
前記動力伝達軸は、前記外側回転部材との連結部より反駆動源側に延設された延設部を有し、
該延設部は、前記第１のプラネタリギヤセットの内側を貫通して反駆動源側の端部が前記変速機ケースの反駆動源側の端部に設けられた端部縦壁に回転自在に嵌合され、
前記クラッチに油圧を供給する油圧供給油路は、前記変速機ケースの端部縦壁から、前記端部縦壁と前記動力伝達軸の延設部の反駆動源側の端部との嵌合部を介して該動力伝達軸に設けられた軸方向に延びる油路に連通し、該油路から前記クラッチの油圧室に通じるように構成されている、
ことを特徴とする自動変速機。
【請求項２】
前記動力伝達軸の延設部は、前記動力伝達軸における前記第１のプラネタリギヤセットと前記第２のプラネタリギヤセットとを連結する動力伝達部に比べて小径とされている、
ことを特徴とする請求項１に記載の自動変速機。
【請求項３】
前記クラッチは、前記動力伝達軸における前記第１のプラネタリギヤセットと前記第２のプラネタリギヤセットとを連結する動力伝達部の外周側に配置され、
前記油圧供給油路は、前記動力伝達軸と前記外側回転部材との連結部を介して、前記動力伝達軸に設けられた油路と前記クラッチの油圧室とが連通されている、
ことを特徴とする請求項１又は請求項２に記載の自動変速機。
【発明の詳細な説明】
【技術分野】
【０００１】
本発明は、車両に搭載される自動変速機に関し、車両用変速機の技術分野に属する。
【背景技術】
【０００２】
車両に搭載される自動変速機は、一般に、複数のプラネタリギヤセット（遊星歯車機構）とクラッチやブレーキ等の複数の油圧式摩擦締結要素とを備え、油圧制御によってこれらの摩擦締結要素を選択的に締結することにより、各プラネタリギヤセットを経由する動力伝達経路を切り換えて、複数の前進変速段と通例１段の後退速段とを実現可能なように構成されるが、近年、エンジンの燃費性能の向上や変速性能の向上のため、前進変速段の多段化が求められており、例えば、３つのプラネタリギヤセットと６つの摩擦締結要素とを備え、これらの摩擦締結要素のうちの２つを締結することにより、前進８段を実現する自動変速機が考えられている。
【０００３】
しかし、この構成では、各変速段において非締結状態の摩擦締結要素が４つ存在することになり、そのため、これらの摩擦締結要素における摩擦板間の摺動抵抗或いは摩擦板間の潤滑油の粘性抵抗等により、変速機全体としての駆動損失が大きくなり、多段化による燃費性能の向上効果が損なわれる可能性がある。
【０００４】
これに対し、特許文献１には、４つのプラネタリギヤセットと、５つの摩擦締結要素とを備え、これらの摩擦締結要素のうちの３つを選択的に締結することにより、前進８段を実現する自動変速機が開示されており、これによれば、各変速段における非締結状態の摩擦締結要素の数が２つになるので、上記のような駆動損失が抑制される。
【先行技術文献】
【特許文献】
【０００５】
【特許文献１】国際公開第２０１３／１１７３６９号
【発明の概要】
【発明が解決しようとする課題】
【０００６】
前記特許文献１に開示された自動変速機は、図７に示すように、入力側（図の左側）にシングルピニオン型の第１、第２プラネタリギヤセットＰＧａ、ＰＧｂを径方向の内外に重ねて配置し、その出力側にダブルピニオン型の第３プラネタリギヤセットＰＧｃと、シングルピニオン型の第４プラネタリギヤセットＰＧｄとを配置すると共に、前記第１、第２プラネタリギヤセットＰＧａ、ＰＧｂの入力側に第１クラッチＣＬａを、出力側に第２クラッチＣＬｂを、さらにその出力側に第３クラッチＣＬｃをそれぞれ配置し、前記第１クラッチＣＬａの外側回転部材と第３クラッチＣＬｃの外側回転部材とを、第２クラッチＣＬｂの外周側を跨ぐ動力伝達部材ｘで連結した構成とされている。
【０００７】
このような構成によると、第２クラッチＣＬｂは、前記第１、第２プラネタリギヤセットＰＧａ、ＰＧｂと、第３クラッチＣＬｃの内側回転部材ｙと、前記動力伝達部材ｘとで囲まれた閉鎖空間内に位置することになる。
【０００８】
この自動変速機のように、クラッチが変速機ケース内において閉鎖空間内に配置されると、クラッチに油圧を供給する油路を変速機ケースの外周壁や縦壁から直接的に導くことができず、クラッチへの油圧供給油路の形成が困難なものとなり得る。
【０００９】
このような問題に対し、クラッチが変速機ケースの端部縦壁との間にプラネタリギヤセットを挟んで配置されている場合に、該クラッチに油圧を供給する油路を変速機ケースの外周壁から導くことが困難なときは、変速機ケースの端部縦壁にプラネタリギヤセットの内側を貫通して軸方向に延びるボス部を設け、該ボス部に設けた油路を経由してクラッチに油圧を供給することが考えられる。
【００１０】
しかしながら、ボス部に設けた油路を経由してクラッチに油圧を供給する場合、ボス部の外側に嵌合されたプラネタリギヤセットが大径化し、変速機ケースの径方向寸法が増大することとなる。特に軸心が車体幅方向に延びる横置き式の自動変速機において、変速機ケース内の反駆動源側の端部に配置されたプラネタリギヤセットが大径化すると、エンジンルーム内に配設されたフレーム部材などとの干渉が問題となりやすく、エンジンルーム内への搭載性が悪化することとなる。
【００１１】
そこで、本発明は、自動変速機の多段化に伴う上記のような問題に対処し、軸心が車体幅方向に延びる横置き式の自動変速機において、クラッチへの油圧供給油路の簡素化が可能で、車載性に優れた新たな構成の自動変速機を提供することを課題とする。
【課題を解決するための手段】
【００１２】
前記課題を解決するため、本発明に係る自動変速機は、次のように構成したことを特徴とする。
【００１３】
まず、本願の請求項１に記載の発明は、変速機ケース内において、車体幅方向に延びる軸心上に、駆動源に連結された入力軸と、第１のプラネタリギヤセット及び第２のプラネタリギヤセットと、所定のクラッチとが配設された横置き式の自動変速機であって、
前記第１、第２のプラネタリギヤセットと前記クラッチとは、前記変速機ケースの反駆動源側から、前記第１のプラネタリギヤセット、前記クラッチ及び前記第２のプラネタリギヤセットの順に配置され、
前記クラッチの外側回転部材は、前記クラッチの油圧室を形成すると共に前記第１のプラネタリギヤセットに連結され、
前記入力軸の反駆動源側に同軸上に、前記第２のプラネタリギヤセットに連結されると共に前記外側回転部材に連結されて前記第１のプラネタリギヤセットと前記第２のプラネタリギヤセットとを動力伝達可能に連結する動力伝達軸が設けられ、
前記動力伝達軸は、前記外側回転部材との連結部より反駆動源側に延設された延設部を有し、
該延設部は、前記第１のプラネタリギヤセットの内側を貫通して反駆動源側の端部が前記変速機ケースの反駆動源側の端部に設けられた端部縦壁に回転自在に嵌合され、
前記クラッチに油圧を供給する油圧供給油路は、前記変速機ケースの端部縦壁から、前記端部縦壁と前記動力伝達軸の延設部の反駆動源側の端部との嵌合部を介して該動力伝達軸に設けられた軸方向に延びる油路に連通し、該油路から前記クラッチの油圧室に通じるように構成されている、ことを特徴とする。
【００１４】
また、請求項２に記載の発明は、前記請求項１に記載の自動変速機において、前記動力伝達軸の延設部は、前記動力伝達軸における前記第１のプラネタリギヤセットと前記第２のプラネタリギヤセットとを連結する動力伝達部に比べて小径とされている、ことを特徴とする。
【００１５】
また、請求項３に記載の発明は、前記請求項１又は請求項２に記載の自動変速機において、
前記クラッチは、前記動力伝達軸における前記第１のプラネタリギヤセットと前記第２のプラネタリギヤセットとを連結する動力伝達部の外周側に配置され、
前記油圧供給油路は、前記動力伝達軸と前記外側回転部材との連結部を介して、前記動力伝達軸に設けられた油路と前記クラッチの油圧室とが連通されている、ことを特徴とする。
【発明の効果】
【００１６】
上記の構成により、本願の請求項１に記載の発明によれば、変速機ケースの反駆動源側から第１のプラネタリギヤセット、クラッチ及び第２のプラネタリギヤセットが順に配置され、クラッチの外側回転部材は、クラッチの油圧室を形成すると共に第１のプラネタリギヤセットに連結されている。入力軸の反駆動源側には、第２のプラネタリギヤセットに連結されると共に外側回転部材に連結される動力伝達軸が設けられ、動力伝達軸は、反駆動源側に延設された延設部を有し、延設部は、第１のプラネタリギヤセットの内側を貫通して変速機ケースの反駆動源側の端部縦壁に回転自在に嵌合されている。
【００１７】
そして、クラッチに油圧を供給する油圧供給油路は、変速機ケースの端部縦壁から、動力伝達軸に設けられた軸方向に延びる油路に連通し、該油路からクラッチの油圧室に通じるように構成されている。
【００１８】
これにより、クラッチが変速機ケースの端部縦壁との間にプラネタリギヤセットを挟んで配置されている場合に、クラッチに油圧を供給する油圧供給油路が変速機ケースの端部縦壁から動力伝達軸を介して導かれるから、変速機ケースの端部縦壁にプラネタリギヤセットを貫通して軸方向に延びるボス部を設けて該ボス部に設けた油路を経由してクラッチに油圧を供給する場合に比べて、ボス部に設けた油路とクラッチの油圧室との間にシールを設ける必要がなく、クラッチへの油圧供給油路を簡素化することができると共に、反駆動源側において変速機の径方向寸法を短縮することが可能となる。
【００１９】
したがって、特に車体幅方向の寸法に制約があるエンジンルーム等に軸心を車体幅方向に向けて搭載される横置き式の自動変速機として、車載性に優れた自動変速機が実現される。
【００２０】
また、動力伝達軸の延設部は、動力伝達経路を構成しないことから、動力伝達軸における動力伝達経路を構成する部分に比して小径とすることが可能となり、変速機の径方向寸法の更なる短縮が可能となり、当該自動変速機の車載性をさらに向上させることができる。
【００２１】
また、請求項２に記載の発明によれば、動力伝達軸の延設部は、動力伝達軸における第１のプラネタリギヤセットと第２のプラネタリギヤセットとを連結する動力伝達部に比べて小径とされていることにより、変速機の径方向寸法の更なる短縮が可能となり、自動変速機の車載性をさらに向上させることができる。
【００２２】
また、請求項３に記載の発明によれば、動力伝達軸における第１、第２のプラネタリギヤセットを連結する動力伝達部の外周側に配置されるクラッチに油圧を供給する油圧供給油路は、動力伝達軸と外側回転部材との連結部を介して動力伝達軸に設けられた油路とクラッチの油圧室とが連通されている。
【００２３】
これにより、クラッチが第１、第２のプラネタリギヤセットを連結する動力伝達部の外周側に配置される場合においても、クラッチの油圧室を形成するクラッチの外側回転部材と動力伝達軸との間にシールを設けることなく、変速機ケースの端部縦壁から動力伝達軸の油路を通じ、動力伝達軸と外側回転部材との連結部を介してクラッチの油圧室に油圧を供給することができ、クラッチへの油圧供給油路の簡素化を具体的に実現することができる。
【図面の簡単な説明】
【００２４】
【図１】本発明の実施形態に係る自動変速機を含むパワーユニット全体の骨子図である。
【図２】前記自動変速機の要部を拡大した骨子図である。
【図３】前記自動変速機の別の要部を拡大した断面図である。
【図４】同自動変速機の摩擦締結要素の締結表である。
【図５】プラネタリギヤセットを構成するギヤの歯数例の表である。
【図６】図５の歯数例の場合の減速比とギヤステップを示す表である。
【図７】前進８段の自動変速機の従来例を示す骨子図である。
【発明を実施するための形態】
【００２５】
以下、本発明の実施形態について説明する。
【００２６】
図１は、本発明の実施形態に係る自動変速機１０を含む横置き式パワーユニット１の構成を示す骨子図であって、このパワーユニット１は、駆動源としてのエンジンＥと、該エンジンＥからトルクコンバータ（図示せず）を介して動力が入力される自動変速機１０と、該自動変速機１０の出力により中間伝動機構２を介して駆動されるデファレンシャル装置３とを有し、該デファレンシャル装置３から延びる駆動軸４ａ、４ｂを介して左右の駆動輪（図示せず）が駆動されるようになっている。
【００２７】
ここで、前記中間伝動機構２は、中間軸２ａ上に、自動変速機１０の後述する出力ギヤ１３に噛み合う大径の第１ギヤ２ｂと、前記デファレンシャル装置３の入力部材であるデフリングギヤ３ａに噛み合う小径の第２ギヤ２ｃとを設けた構成で、自動変速機１０の出力を減速してデファレンシャル装置３に伝達するようになっている。
【００２８】
一方、前記自動変速機１０は、変速機ケース１１内に、前記エンジンＥに連結されて該エンジンＥ側（以下、エンジン側を「前側」、反エンジン側を「後側」とする）からトルクコンバータを介して反エンジンＥ側に延びる入力部材としての入力軸１２と、変速機ケース１１内の前側に配設された出力部材としての出力ギヤ１３と、第１、第２、第３、第４プラネタリギヤセット（以下、「プラネタリギヤセット」を単に「ギヤセット」という）ＰＧ１、ＰＧ２、ＰＧ３、ＰＧ４とを有し、これらが同一軸線上に配置されている。
【００２９】
ここで、「第４ギヤセットＰＧ４」は特許請求の範囲における「第１のプラネタリギヤセット」に、「第３ギヤセットＰＧ３」は同じく「第２のプラネタリギヤセット」にそれぞれ相当する。また、「エンジン側（前側）」は特許請求の範囲における「駆動源側」に、「反エンジン側（後側）」は同じく「反駆動源側」にそれぞれ相当する。
【００３０】
そして、前記第１ギヤセットＰＧ１は、前記出力ギヤ１３の前側、即ち変速機ケース１１内の前端部に配置され、第２ギヤセットＰＧ２と第３ギヤセットＰＧ３とは、前記出力ギヤ１３の後方において、軸方向のほぼ同一位置で、前者を外周側、後者を内周側として径方向に重ねて配置され、前記第４ギヤセットは、さらにその後方の変速機ケース１１内の後端部寄りに配置されている。
【００３１】
また、前記変速機ケース１１には、前記出力ギヤ１３の後方に位置するように、外周壁１１ａから内方に延びる中間壁１１ｂが設けられ、該中間壁１１ｂの内周部から前方に延びる第１円筒部１１ｃにベアリング１４を介して前記出力ギヤ１３が回転自在に支持されている。
【００３２】
また、中間壁１１ｂと、その後方に位置する前記第２、第３ギヤセットＰＧ２、ＰＧ３との間に、第１クラッチＣＬ１及び第２クラッチＣ２が、前者を外周側、後者を内周側として、軸方向のほぼ同一位置で径方向に重ねて配置されていると共に、前記第２、第３ギヤセットＰＧ２、ＰＧ３と前記第４ギヤセットＰＧ４との間に、第３クラッチＣＬ３が配置されている。
【００３３】
さらに、前記第４ギヤセットＰＧ４の外周には第１ブレーキＢＲ１が配置され、前記第４ギヤセットＰＧ４とその後方の変速機ケース１１の反エンジンＥ側の端部に設けられた端部縦壁としての後部縦壁１１ｄとの間には第２ブレーキＢＲ２が配置されている。
【００３４】
次に、図２により、前記自動変速機１０の構成をさらに詳しく説明する。
【００３５】
前記第１〜第３ギヤセットＰＧ１〜ＰＧ３は、いずれも、キャリヤに支持されたピニオンがサンギヤとリングギヤとに直接噛み合ったシングルピニオン型プラネタリギヤセットで構成され、第４ギヤセットＰＧ４は、キャリヤに支持された内側ピニオンがサンギヤに、外側ピニオンが前記内側ピニオンとリングギヤとに噛み合ったダブルピニオン型プラネタリギヤセットで構成されている。
【００３６】
そして、回転要素として、第１ギヤセットＰＧ１は、第１サンギヤＳ１、第１リングギヤＲ１、第１キャリヤＣ１を有し、第２ギヤセットＰＧ２は、第２サンギヤＳ２、第２リングギヤＲ２、第２キャリヤＣ２を有し、第３ギヤセットＰＧ３は、第３サンギヤＳ３、第３リングギヤＲ３、第３キャリヤＣ３を有し、第４ギヤセットＰＧ４は、第４サンギヤＳ４、第４リングギヤＲ４、第４キャリヤＣ４を有する。
【００３７】
また、前記第１サンギヤＳ１と前記第３キャリヤＣ３、前記第２サンギヤと前記第３リングギヤＲ３、前記第２リングギヤＲ２と前記第４リングギヤＲ４、前記第３サンギヤＳ３と前記第４キャリヤＣ４とは、それぞれ常時連結されており、さらに、前記入力軸１２は、前記第１サンギヤＳ１及び第３キャリヤＣ３に、前記出力ギヤ１３は前記第１リングギヤＲ１に、それぞれ常時連結されている。
【００３８】
ここで、常時連結された前記第２サンギヤＳ２と前記第３リングギヤＲ３とは、第３ギヤセットＰＧ３の外周側に第２ギヤセットＰＧ２が重ねられることにより、リング状の単一部品として、或いは２つのリング状部材を溶接や焼嵌め等により直接結合することにより、一体化されている。
【００３９】
また、常時連結された前記第３サンギヤＳ３と前記第４キャリヤＣ４とは、第３サンギヤＳ３に連結されて入力軸１２の反エンジンＥ側に同軸上に設けられた動力伝達軸２２と、後述する第４キャリヤＣ４に連結されると共に動力伝達軸２２に連結された第３クラッチＣＬ３の外側回転部材１６とによって連結されている。
【００４０】
一方、前記第１〜第３クラッチＣＬ１〜ＣＬ３は、シリンダにピストンＰ１’、Ｐ２’、Ｐ３’を嵌合することによって画成された油圧室Ｐ１、Ｐ２、Ｐ３を有し、これらの油圧室Ｐ１〜Ｐ３に油圧が供給されたときに摩擦板が締結され、内外の回転部材が結合されるようになっている。
【００４１】
具体的には、第１クラッチＣＬ１は、油圧室Ｐ１への油圧供給時に、外側回転部材に常時連結された第１キャリヤＣ１と、内側回転部材に常時連結された第２キャリヤＣ２とを連結し、第２クラッチＣＬ２は、油圧室Ｐ２への油圧供給時に、外側回転部材に常時連結された第１キャリヤＣ１と、内側回転部材に常時連結された第２サンギヤＳ２及び第３リングギヤＲ３とを連結し、第３クラッチＣＬ３は、油圧室Ｐ３への油圧供給時に、外側回転部材に常時連結された第３サンギヤＳ３及び第４キャリヤＣ４と、内側回転部材に常時連結された第２キャリヤＣ２とを連結する。
【００４２】
その場合に、前記第１、第２クラッチＣＬ１、ＣＬ２の外側回転部材は、いずれも第１キャリヤＣ１に常時連結されているので、これらの回転部材は結合されて、両クラッチＣＬ１、ＣＬ２で共用される共用回転部材１５とされている。
【００４３】
そして、この共用回転部材１５に設けられ、径方向に重なる前記第１、第２クラッチＣＬ１、ＣＬ２の油圧室Ｐ１、Ｐ２を構成する前方への膨出部１５ａの内周面が、前記変速機ケース１１における中間壁１１ｂの内周端から後方へ延びる第２円筒部１１ｅの外周面に嵌合され、変速機ケース１１の前記中間壁１１ｂ及び前記第２円筒部１１ｅから、前記内、外周面の嵌合部を介して前記油圧室Ｐ１、Ｐ２にそれぞれ通じる油圧供給油路ａ、ｂが形成されている。
【００４４】
第３クラッチＣＬ３については、外側回転部材１６が第４キャリヤＣ４に連結されると共に第３クラッチＣＬ３の油圧室Ｐ３を構成し、且つ動力伝達軸２２に連結され、内側回転部材１６’が第２キャリヤＣ２に連結されている。第３クラッチＣＬ３の外側には、第２リングギヤＲ２と第４リングギヤＲ４とを連結する動力伝達部材１７が配置されている。
【００４５】
このように、第３クラッチＣＬ３は、変速機ケース１１の反エンジンＥ側において、動力伝達軸２２における第４ギヤセットＰＧ４のキャリヤＣ４と第３ギヤセットＰＧ３のサンギヤＳ３とを連結する動力伝達部２２ａの外周側に配置され、第４ギヤセットＰＧ４と、第２、第３ギヤセットＰＧ２、ＰＧ３と、動力伝達部材１７とによって囲まれた閉鎖空間内に配置されている。
【００４６】
図３は、前記自動変速機の別の要部を拡大した断面図であり、第３クラッチに油圧を供給する油圧供給油路を説明するための説明図である。前述したように、入力軸１２の反エンジンＥ側に動力伝達軸２２が設けられ、動力伝達軸２２は、第３クラッチＣＬ３の外側回転部材１６との連結部より反エンジンＥ側に延設された延設部２２ｂを有し、該延設部２２ｂは、第４ギヤセットＰＧ４の内側を貫通して反エンジンＥ側の端部２２ｃが変速機ケース１１の後部縦壁１１ｄに回転自在に嵌合されている。
【００４７】
図３に示すように、変速機ケース１１の後部縦壁１１ｄには、図示しないバルブコントロールユニットから導かれた変速機ケース１１の後部縦壁１１ｄに設けられた油路ｃａに連結される凹部１１ｆが形成され、動力伝達軸２２の延設部２２ｂは、この凹部１１ｆ内に挿入され、軸受部材３１を介して変速機ケース１１の後部縦壁１１ｄに回転自在に嵌合されている。
【００４８】
動力伝達軸２２はまた、エンジンＥ側の端部２２ｄが入力軸１２の反エンジン側の端部に形成された凹部１２ａに挿入され、軸受部材３３を介して入力軸１２に回転自在に嵌合されている。
【００４９】
動力伝達軸２２の延設部２２ｂは、動力伝達経路を構成しないことから、動力伝達軸２２における第３ギヤセットＰＧ３と第４ギヤセットＰＧ４とを連結する動力伝達部２２ａに比べて小径とされている。
【００５０】
動力伝達軸２２の延設部２２ｂには、反エンジンＥ側の端面から軸方向に延びる油路ｃｂが形成され、具体的には、反エンジンＥ側の端面から軸方向に延びる油路ｃｂ１と、該油路ｃｂ１に連通されて径方向に延びる油路ｃｂ２とが形成されている。
【００５１】
また、動力伝達軸２２の延設部２２ｂには軸受部材３１よりも反エンジンＥ側にシールリング３２が装着され、変速機ケース１１の後部縦壁１１ｄと動力伝達軸２２の延設部２２ｂとの嵌合部において変速機ケース１１の後部縦壁１１ｄに設けられた油路ｃａと動力伝達軸２２に設けられた油路ｃｂとの接続部がシールされている。
【００５２】
本実施形態では、第３クラッチＣＬ３の油圧室Ｐ３は、図２及び図３に示すように、第３クラッチＣＬ３の外側回転部材１６によって構成されるシリンダＰ３”と、該シリンダＰ３”に嵌合されたピストンＰ３’とによって画成されている。
【００５３】
このようにして、変速機ケース１１の後部縦壁１１ｄに設けられた油路ｃａと、動力伝達軸２２に設けられて軸方向に延びる油路ｃｂと、第３クラッチＣＬ３の外側回転部材１６に設けられて第３クラッチＣＬ３の油圧室Ｐ３に連通される油路ｃｃとが、変速機ケース１１の後部縦壁１１ｄと動力伝達軸２２の延設部２２ｂの端部２２ｃとの嵌合部及び動力伝達軸２２と第３クラッＣＬ３の外側回転部材１６との連結部を介して連通され、これら油路ｃａ、ｃｂ、ｃｃによって第３クラッチＣＬ３に油圧を供給する油圧供給油路ｃが形成されている。
【００５４】
また、前記第１、第２ブレーキＢＲ１、ＢＲ２も、それぞれ、シリンダにピストンＰ４’、Ｐ５’を嵌合することによって画成された油圧室Ｐ４、Ｐ５を有し、これらの油圧室Ｐ４、Ｐ５に油圧が供給されたときに摩擦板が締結され、第１ブレーキＢＲ１は、常時連結された第２リングギヤＲ２と第４リングギヤＲ４とを変速機ケース１１に結合して固定し、第２ブレーキＢＲ２は、第４サンギヤＳ４を変速機ケース１１に結合して固定する。そして、第１、第２ブレーキＢＲ１、ＢＲ２への油圧供給油路ｄ、ｅは、変速機ケース１１の外周壁１１ａないし後部壁１１ｄから油圧室Ｐ４、Ｐ５に直接油圧を供給するように設けられている。
【００５５】
なお、図示しないが、前記第２円筒部１１ｅの外周面と、共用回転部材１５の膨出部１５ａの内周面との嵌合部における油圧供給油路ａ、ｂの連通部についても、それぞれシールリングによってシールされている。
【００５６】
また、図示しないが、各クラッチＣＬ１〜ＣＬ３には、非締結時に油圧室Ｐ１〜Ｐ３の残圧による摩擦板の引き摺りや不必要な締結を防止するための遠心バランス室が設けられ、前記各油圧供給路ａ〜ｃとは別に、潤滑油を各遠心バランス室に導入するための油路が設けられている。
【００５７】
以上の構成により、この自動変速機１０によれば、図２に示す油圧室Ｐ１〜Ｐ５に対する油圧の給排制御により、図４の締結表に示すように、第１〜第３クラッチＣＬ１〜ＣＬ３と第１、第２ブレーキＢＲ１、ＢＲ２との５つの摩擦締結要素から３つの摩擦締結要素を選択的に締結すれば、前進の１〜８速及び後退速が形成される。
【００５８】
即ち、第１クラッチＣＬ１、第３クラッチＣＬ３及び第１ブレーキＢＲ１を締結すれば１速となり、第１クラッチＣＬ１、第１ブレーキＢＲ１及び第２ブレーキＢＲ２を締結すれば２速となり、第１クラッチＣＬ１、第３クラッチＣＬ３及び第２ブレーキＢＲ２を締結すれば３速となり、第１クラッチＣＬ１、第２クラッチＣＬ２及び第２ブレーキＢＲ２を締結すれば４速となり、第１クラッチＣＬ１、第２クラッチＣＬ２及び第３クラッチＣＬ３を締結すれば減速比１の５速となり、第２クラッチＣＬ２、第３クラッチＣＬ３及び第２ブレーキＢＲ２を締結すれば６速となり、第２クラッチＣＬ２、第３クラッチＣＬ３及び第１ブレーキＢＲ１を締結すれば７速となり、第２クラッチＣＬ２、第１ブレーキＢＲ１及び第２ブレーキＢＲ２を締結すれば８速となり、さらに、第１クラッチＣＬ１、第２クラッチＣＬ２及び第１ブレーキＢＲ１を締結すれば後退速となる。
【００５９】
その場合に、第１〜第４ギヤセットＰＧ１〜ＰＧ４の各ギヤの歯数を例えば図５に示すように設定すれば、各変速段の減速比及び前進の隣接変速段間のギヤステップ（下段の減速比／上段の減速比）は図６に示すようになり、各変速段の減速比及び各変速段間でのギヤステップの配分が適切に設定される。
【００６０】
ところで、この自動変速機１０においては、径方向に重ねて配置された第２、第３ギヤセットＰＧ２、ＰＧ３のうちの外周側の第２ギヤセットＰＧ２の第２リングギヤＲ２と、その後方に配置された第４ギヤセットＰＧ４の第４リングギヤＲ４とが常時連結され、かつ、第４リングギヤＲ４と変速機ケース１１の外周壁１１ａとの間に第１ブレーキＢＲ１が配設されているから、変速機ケース１１内において、第２〜第４ギヤセットＰＧ２〜ＰＧ４の外周側、特に径方向に重ねられた外周側の第２ギヤセットＰＧ２の外周側に他の回転要素を連結する動力伝達部材を配置することができない構造となっている。
【００６１】
したがって、２つのプラネタリギヤセットを径方向に重ねて配置した上に、さらにその外周側に動力伝達部材が配設されるものに比べて、変速機の径方向寸法が短縮されることになる。
【００６２】
また、この自動変速機１０においては、径方向に重ねて配置される第２、第３ギヤセットＰＧ２、ＰＧ３における第２サンギヤと第３リングギヤＲ３とが一体化されており、これによっても、変速機の径方向寸法の短縮が図られている。
【００６３】
ここで、前記第２リングギヤＲ２と前記第４リングギヤＲ４とを常時連結するに際し、これらのリングギヤＲ２、Ｒ４と、これらを連結する動力伝達部材１７とで一体化された筒状構造体１８（図２参照）を形成すれば、径方向の外周側に配置された第２ギヤセットＰＧ２の最も外周側に位置するため径が大きくなり、そのため、軸心に対して傾きやすく、支持が不安定になりやすい第２リングギヤＲ２が安定して支持されることになる。これにより、ギヤの支持が不安定であることによるギヤ鳴りや耐久性の低下等の不具合の発生が抑制される。
【００６４】
また、変速機ケース１１の前端部においては、第１ギヤセットＰＧ１の第１サンギヤＳ１に入力軸１２が、第１リングギヤＲ１に出力ギヤ１３がそれぞれ常時連結されているから、該第１ギヤセットＰＧ１の内周側及び外周側に前記入力軸１２及び出力ギヤ１３以外の動力伝達部材を配置することができず、したがって、この端部においても、プラネタリギヤセットの内周側や外周側に他の動力伝達部材が配設されるものに比べて、変速機の径方向寸法の短縮が可能となる。
【００６５】
一方、変速機ケース１１内の後端部においては、第４ギヤセットＰＧ４の第４リングギヤＲ４と変速ケース１１の外周壁１１ａとの間に第１ブレーキＢＲ１が、第４サンギヤＳ４と変速機ケース１１の後部壁１１ｄとの間に第２ブレーキＢＲ２がそれぞれ配設されるから、第４ギヤセットＰＧ４のさらに後側に他の動力伝達部材を配置することができない。
【００６６】
したがって、変速機ケースの端部に配置されたプラネタリギヤセットのさらに当該端部側に動力伝達部材が配設されるものに比べて、変速機の軸方向寸法を短縮することが可能となり、前記第２、第３ギヤセットＰＧ２、ＰＧ３を径方向に重ねて配置したことに加えて、軸方向寸法が一層効果的に短縮される。また、この自動変速機１０においては、第１、第２クラッチＣＬ１、ＣＬ２も径方向に重ねて配置され、これによっても軸方向寸法の短縮が図られている。
【００６７】
さらに、第４ギヤセットＰＧ４が配置される変速機ケース１１の外周壁１１ａの後端部１１ａ’は、その前方の第２、第３ギヤセットＰＧ２、ＰＧ３が径方向に重ねて配置された部位１１ａ”より小径とすることが可能となり、例えばエンジンルームに搭載される場合に、該エンジンルーム内に配設されたフレームやその他の部材等との干渉を回避しやすくなる。
【００６８】
このように、自動変速機１０によれば、径方向寸法及び軸方向寸法が効果的に短縮され、前進８段の横置き式自動変速機として、コンパクトに構成され、スペースが限られたエンジンルーム内への搭載性に優れた自動変速機１０が実現される。
【００６９】
また、この自動変速機１０によれば、変速機ケース１０内の軸方向の中間部において、前記第１ギヤセットＰＧ１と第２、第３ギヤセットＰＧ２、ＰＧ３とに挟まれた第１、第２クラッチＣＬ１、ＣＬ２に対する油圧の供給を、変速機ケース１１の中間壁１１ｂ及び第２円筒部１１ｅから直接行うことができる。
【００７０】
一方、変速機ケース１１の後部縦壁１１ｄとの間に第４ギヤセットＰＧ４を挟んで配置される第３クラッチＣＬ３に対する油圧の供給は、変速機ケース１１の後部縦壁１１ｄから、動力伝達軸２２に設けられた軸方向に延びる油路ｃｂに連通し、該油路ｃｂから第３クラッチＣＬ３の油圧室Ｐ３に導かれる。
【００７１】
これにより、変速機ケース１１の後部縦壁１１ｄに第４ギヤセットＰＧ４を貫通して軸方向に延びるボス部を設けて該ボス部に設けた油路を経由してクラッチに油圧を供給する場合に比べて、ボス部に設けた油路とクラッチの油圧室との間にシールを設ける必要がなく、クラッチへの油圧供給油路を簡素化することができると共に、反駆動源側において変速機の径方向寸法を短縮することが可能となる。
【００７２】
したがって、特に車体幅方向の寸法に制約があるエンジンルーム等に軸心を車体幅方向に向けて搭載される横置き式の自動変速機として、さらに車載性に優れた自動変速機が実現される。
【００７３】
また、動力伝達軸２２の延設部２２ｂは、動力伝達軸２２における第３ギヤセットＰＧ３と第４ギヤセットＰＧ４とを連結する動力伝達部２２ａに比べて小径とされていることにより、変速機の径方向寸法の更なる短縮が可能となり、自動変速機の車載性をさらに向上させることができる。
【００７４】
さらに、動力伝達軸２２における第３、第４ギヤセットＰＧ３、ＰＧ４を連結する動力伝達部２２ａの外周側に配置される第３クラッチＣＬ３の外側回転部材１６との連結部を介して動力伝達軸２２に設けられた油路ｃｂと第３クラッチＣＬ３の油圧室Ｐ３とが連通されている。
【００７５】
これにより、第３クラッチＣＬ３が第３、第４ギヤセットＰＧ３、ＰＧ４を連結する動力伝達部２２ａの外周側に配置される場合においても、第３クラッチＣＬ３の油圧室Ｐ３を形成する第３クラッチＣＬ３の外側回転部材１６と動力伝達軸２２との間にシールを設けることなく、変速機ケース１１の後部縦壁１１ｄから動力伝達軸２２の油路ｃｂを通じ、動力伝達軸２２と外側回転部材１６との連結部を介して第３クラッチＣＬ３の油圧室Ｐ３に油圧を供給することができ、クラッチへの油圧供給油路の簡素化を具体的に実現することができる。
【００７６】
なお、以上の実施形態では、入力軸１２と第３キャリヤＣ３との連結、動力伝達軸２２と第３サンギヤＳ３との連結、動力伝達軸２２と第３クラッチＣＬ３の外側回転部材１６との連結がそれぞれ、図３に示すように溶接によって連結されているが、スプライン嵌合や接着によって連結するようにしてもよい。
【００７７】
また、出力部材として出力ギヤ１３が用いられ、中間伝動機構２を介してデファレンシャル装置３側に動力を出力するように構成されているが、出力部材としてスプロケットを用い、チェーン伝動機構を介してデファレンシャル装置に動力を伝達するようにしてもよい。
【産業上の利用可能性】
【００７８】
以上のように、本発明によれば、例えば前進８段等の多段化された横置き式の自動変速機としてクラッチへの油圧供給油路の簡素化が可能で車載性に優れたものが実現されるので、この種の自動変速機ないしこれを搭載する車両の製造技術分野において好適に利用される可能性がある。
【符号の説明】
【００７９】
１０        自動変速機
１１        変速機ケース
１１ｄ      後部縦壁(端部縦壁）
１２        入力軸
１３        出力ギヤ
１６        外側回転部材
２２        動力伝達軸
２２ａ      動力伝達部
２２ｂ      延設部
ＢＲ１、ＢＲ２      第１、第２ブレーキ
ＣＬ１〜ＣＬ３      第１〜第３クラッチ
Ｅ          エンジン（駆動源）
Ｐ１〜Ｐ５  油圧室
ＰＧ１      第１ギヤセット
ＰＧ２      第２ギヤセット
ＰＧ３      第３ギヤセット（第２のプラネタリギヤセット）
ＰＧ４      第４ギヤセット（第１のプラネタリギヤセット）
【図１】
0006044555.tif 000002
【図２】
0006044555.tif 000003
【図３】
0006044555.tif 000004
【図４】
0006044555.tif 000005
【図５】
0006044555.tif 000006
【図６】
0006044555.tif 000007
【図７】
0006044555.tif 000008